(57)【要約】      （修正有）【課題】微量な液体と液体、あるいは液体と粉末を迅速に、所望する量及び、割合で混合するとともに、確実に攪拌することができる混合袋を提供する。【解決手段】室内の壁を接着するシール帯により収容室内を複数の収容室に区分けするとともに、前記シール帯は第１の収容室１３に隣接する第２の収容室１４との間に配置され、シール帯の一部がイージーピール部分であり、第１の収容室に外部から圧力が加えられたときに、イージーピール部分が剥がれて第２の収容室に内容物が流入し、その流入する勢いによって第１の収容室の内容物と第２の収容室の内容物とが混合される。収容室を構成する材料として、薄い樹脂シートを採用し、第１の収容室に容易に圧力を加えられるとともに、第２の収容室に第１の収容室の内容物が流入した後、外部から圧力を加えることにより撹拌を促進され、微量な物同士が十分に混合することができる。【選択図】図１
2020132199.tif 000002
【特許請求の範囲】
【請求項１】
室内の壁を接着するシール帯により収容室内を複数の収容室に区分けするとともに、各収容室にはそれぞれ別種のものであって、収容室は複数配置され、前記シール帯は第1の収容室に隣接する第２の収容室との間に配置され、隣接方向に沿って一部または全部が前記第1の収容室に外部から圧力が加えられたときに、第1の収容室と隣接する第２の収容室との間のシール帯の一部がイージーピール部分であり、第1の収容室に外部から圧力が加えられたときに、シール帯の幅に対して幅の狭いイージーピール部分が剥がれて隣接する第２の収容室に向かって勢いよく内容物が流入し、その流入する勢いによって第1の収容室の内容物と第２の収容室の内容物とが混合されることを特徴とする混合袋。
【請求項２】
室内の壁を接着するシール帯により収容室内を複数の収容室に区分けするとともに、各収容室にはそれぞれ別種のものであって、収容室は複数配置され、前記シール帯は第1の収容室に隣接する第２の収容室との間に配置され、収容室を構成する材料として、薄い樹脂シートを採用し、第1の収容室に容易に圧力を加えられるとともに、隣接する第２の収容室に第1の収容室の内容物が流入した後、外部から圧力を加えることにより撹拌を促進することができることを特徴とする混合袋。
【請求項３】
前記第1の収容室に外部から圧力を加えてイージーピール部を剥がして第1の収容室の内容物を第２の収容室への流入させたとき、第２の収容室に流入した第1の収容室の内容物あるいは第２の収容室の内容物が、第1の収容室へ逆流しないようにするため、イージーピールを構成する2枚の樹脂シートの厚さはそれぞれ０．０３〜０．４ｍｍの範囲であることを特徴とする請求項1もしくは2に記載の混合袋。
【発明の詳細な説明】
【技術分野】
【０００１】
本発明は、イージーピール部を有する混合袋に関するものである。
【背景技術】
【０００２】
ポリオレフィン系重合体は、機械的性質、成形性、外観等に優れており、それ自体単独で、または他の樹脂をブレンドした組成物として、フィルム、押出成形品、射出成形品などに成形されて、加工食品や薬剤などの包装材料として広く用いられている。
【０００３】
ポリオレフィン系重合体による包装材料の密封には、加熱した金型などを押し当てて熱融着する「ヒートシール法」がよく用いられ、ヒートシールの温度、時間、圧力などを調整してヒートシール強度をイージーピール性とする技術があり、イージーピール部が容易に熱溶着部が壊れることを利用してポリオレフィン系の容器の開口部に用いられる。
【０００４】
例えば、特開昭５７−１３１５５６号には、オレフィン系樹脂とイージーピール可能な他の樹脂をブレンドした樹脂層および加工改善樹脂とを共押出ししたイージーピールフィルムの製造法が開示されている。
【先行技術文献】
【特許文献】
【０００５】
【特許文献１】特開昭５７−１３１５５６号公報
【発明の概要】
【発明が解決しようとする課題】
【０００６】
液体と液体を混合するとき、その液体の体積が1滴程度のような微量であれば他の容器に移しその容器内で攪拌棒などの手段を使って攪拌を行い、再び元の容器に戻したりする必要がある。しかし、再び容器に戻す際、攪拌された液体の一部が攪拌に使用された容器の壁面や攪拌棒の表面に残るため、攪拌後の液体の量が必要な量よりも減少してしまう虞があるという不具合がある。
【０００７】
液体と粉末を混合するときも同様で、液体と粉末の双方の容積が微量である場合、攪拌棒などの手段によって攪拌しようとしても、攪拌される対象である液体と粉末の攪拌用の容器に移され展開されたときの表面積に対し攪拌手段の一つである攪拌棒の攪拌に使用される部分に付着し、攪拌後の液体の量が必要な量よりも減少してしまう虞があるという不具合がある。
【０００８】
本発明は、上記事情に鑑みてなされたものであり、微量な液体と液体、あるいは液体と粉末を迅速に、所望する量及び、割合で混合するとともに、確実に攪拌することができる混合袋を提供することを課題とする。
【課題を解決するための手段】
【０００９】
前記課題を解決するため、本発明は、第1の発明として、室内の壁を接着するシール帯により収容室内を複数の収容室に区分けするとともに、各収容室にはそれぞれ別種のものであって、収容室は複数配置され、前記シール帯は第1の収容室に隣接する第２の収容室との間に配置され、隣接方向に沿って一部または全部が前記第1の収容室に外部から圧力が加えられたときに、第1の収容室と隣接する第２の収容室との間のシール帯の一部がイージーピール部分であり、第1の収容室に外部から圧力が加えられたときに、シール帯の幅に対して幅の狭いイージーピール部分が剥がれて隣接する第２の収容室に向かって勢いよく内容物が流入し、その流入する勢いによって第1の収容室の内容物と第２の収容室の内容物とが混合されることを特徴とする混合袋を提供する。
【００１０】
前記課題を解決するため、本発明は、第2の発明として、室内の壁を接着するシール帯により収容室内を複数の収容室に区分けするとともに、各収容室にはそれぞれ別種のものであって、収容室は複数配置され、前記シール帯は第1の収容室に隣接する第２の収容室との間に配置され、収容室を構成する材料として、薄い樹脂シートを採用し、第1の収容室に容易に圧力を加えられるとともに、隣接する第２の収容室に第1の収容室の内容物が流入した後、外部から圧力を加えることにより撹拌を促進することができることを特徴とする混合袋を提供する。
【００１１】
第1もしくは第2の発明において、前記第1の収容室に外部から圧力を加えてイージーピール部を剥がして第1の収容室の内容物を第２の収容室への流入させたとき、第２の収容室に流入した第1の収容室の内容物あるいは第２の収容室の内容物が、第1の収容室へ逆流しないようにするため、イージーピールを構成する2枚の樹脂シートの厚さはそれぞれ０．０３〜０．４ｍｍの範囲であることが好ましい。
【発明の効果】
【００１２】
本発明の混合袋によれば、上流側の収容室に外部から圧力を加え、イージーピール部を剥がして勢いよく下流側の液体または粉末の入った収容室へ微量な液体を流し込むことで、微量な液体と液体、あるいは液体と粉末を迅速に、所望する量及び、割合で混合するとともに、確実に攪拌することができる。
【図面の簡単な説明】
【００１３】
【図１】本発明の混合袋の外観図であり、（ａ）は正面図であり、（ｂ）は（ａ）に示された線分Ａ−Ａにおける断面図である。
【図２】本発明の混合袋を混合装置に装着し、動作させている状態を示す略図である。
【図３】図２に示された線分Ｂ−Ｂにおける断面図で、（ａ）はイージーピールが破れる直前の状態を表す略図であり、（ｂ）はイージーピールが破れた直後の状態を表す略図である。
【図４】本発明の混合袋を混合装置に装着し、攪拌のための動作を行う状態を表す略図である。
【図５】図４に示された線分Ｃ−Ｃにおける断面図で、攪拌の動作を表す略図である。
【図６】本発明の混合袋の別形態の例であり、第1の収容室の横に第３の収容室を設けたものである。
【図７】本発明の混合袋の別形態の例であり、第２の収容室と直列に第３の収容室と第４の収容室を設けたものである。
【発明を実施するための形態】
【００１４】
図1が本発明の混合袋の外観である。（ａ）は正面図で、（ｂ）は（ａ）の線分Ａ−Ａにおける断面図である。
図1（ａ）において、本発明の混合袋は第1の収容室１３と第2の収容室１４を有しており、第1の収容室を上流側、第2の収容室を下流側として説明する。
図1（ｂ）に示す通り、本発明の混合袋１は二枚の樹脂フィルムで構成されており、二枚のフィルムは熱シールによってシール部１００の範囲で貼合されている。
【００１５】
カバーフィルム１１は収容室を形成するため、真空成形などで立体形状に成形されている。カバーフィルム１１の材料としては、後述の通り、この収納室には加圧手段により圧力を加え、内容物を移動させたり混ぜ合わせたりするため、厚さが０．０３ｍｍから０．４ｍｍ程度の樹脂フィルムが適している。
【００１６】
ベースフィルム１２は、平坦な形状であるが必要に応じてカバーフィルム１１と同様に立体形状に成形されることもある。したがって、ベースフィルム１２の材料としては、厚さが０．０３ｍｍから０．４ｍｍ程度の樹脂フィルムが適している。
【００１７】
図１（ａ）に示す通り、第１の収容室１３と第２の収容室１４との間はシール層１００によって区切られている。このシール層１００は熱によって強固に貼合されており、混合袋１を使用する前の保管時や輸送時によって不用意に貼合部が剥がれて第１の収容室１３または第２の収容室１４に収容されている内容物が漏れ出すことはない。また、それぞれの内容物から発生するガス成分も収容室の外部に漏れ出すということがないようにガスバリア性を付加することもある。
図１（ａ）において、第１の収容室１３と第２の収容室１４との間のシール部１００にはイージーピール部１０００が設けられている。
【００１８】
第１の収容室１３の幅ａに対し、イージーピール部１０００の幅はｂでありａ＞ｂの寸法関係にある。また、第１の収容室１３の底側のシール部１００においては、強固なシール部の高さが第１の収容室の両側の直下部分の高さｃであり、イージーピール部１００の図１（ａ）での鉛直方向の高さｄに向かって低くなっていくことで傾斜が設けられており、第１の収容室１３に外から圧力を加えたとき、イージーピール部１００の貼合が破れ第１の収容室１３の内容物１５が第２の収容室１４へ流入する。このとき、第１の収容室１３の内容物１５がイージーピール部１０００の貼合が破れてできた開口部に集中するため勢いよく第２の収容室１４に流入することができる。
【００１９】
第１の収容室１３から第２の収容室１４に流入した第１の収容室１３の内容物１５は第２の収容室１４の内容物１６と流入時の勢いによって混ざり合う。
これら二つの内容物をさらによく混ぜるために、本発明の混合袋においては、第２の収容室１４に外部から圧力を加えたり、無くしたりするという動作を繰り返し、あたかも第２の収容室１４を指で揉むような動作を行うことで混合のための攪拌を行い、よく混ざり合わせることが可能となる。
【００２０】
以下、図２を用いて第１の収容室１３の内容物１５を第２の収容室１４に流入させるまでの動作について説明する。本発明の混合袋１を専用の混合装置２の混合袋取付位置３に固定する。例えば、図２の場合、混合袋取付位置３にウレタン樹脂などでできた剥離可能な粘着材が設けられ、混合袋１はこの粘着材によって固定される。
【００２１】
図３（ａ）に示すように、混合装置2は回動可能な加圧手段２１を有し、混合装置２の内部に設けたモーター（図示しない）などの駆動手段によって、混合袋１の第1の収容室１３に圧力を加えることができ、その圧力により第1の収容室１３内の圧力を高めることで、イージーピール部１０００の貼合が破れて開口部ができる。図3（ｂ）に示すように第1の収容室１３の内容物１５が第２の収容室１４に向かって流入する。このとき、前述の通り第1の収容室１３の内容物１５が開口部に集中する形状になっているため勢いよく第２の収容室１４に向かって勢いよく流入する。
【００２２】
次に、図４、図５を用いて、第２の収容室１４に流入した第１の収容室１３の内容物１５と第２の収容室１４の内容物１６を攪拌する動作について説明する。
図４に示す通り、混合装置２はイージーピール部１０００を抑える回動可能な加圧手段２２と第２の収容室１４に圧力を加えることができる回動可能な加圧手段２３を有している。加圧手段２２と加圧手段２３は混合装置２の内部に設けたモーター等の駆動手段によって駆動される。
【００２３】
図５を用いて、第２の収容室１４内での第１の収容室１３から流入してきた内容物１５と、もともと第２の収容室１４にあった内容物１６の攪拌について説明する。第２の収容室１４内で第１の収容室１３から流入してきた内容物１５と第２の収容室１４から流入してきた内容物１６を攪拌するときは、まず初めに、開口しているイージーピール部を加圧手段２２によって抑えて開口部を閉じる。開口部を閉じることで第２の収容室１４内の２つの内容物が第１の収容室１３へ流入することを防ぐ。
【００２４】
次に、加圧手段２２はそのままで、加圧手段２３を第２の収容室１４に圧力を加えるため駆動手段によって回動させる。所定の時間が経過したのち、加圧手段２３を第２の収容室１４から離れるように回動させるという動作を複数回繰り返すことで、第２の収容室１４で、第１の収容室１３から流入してきた内容物１５と第２の収容室１４から流入してきた内容物１６が混ざった内容物１７を指で揉むように攪拌し十分に混ぜ合わせることができる。
【００２５】
表１は体積が５μリットルの液体Ｘと５μリットルの液体Ｙとの混合を、本発明の混合袋で使用した場合と乳鉢を使用した場合の混ざり具合を目視した結果である。本発明の混合袋を使用した場合良好に混ざり合っていたが、乳鉢で混ぜ合わせた場合液体Ｘと液体Ｙは乳鉢の表面に延ばされ混ざり合わせることはできなかった。
【００２６】
【表１】
2020132199.tif 000003
【００２７】
本発明の混合袋の収納室の配置や数は、図１のように直列状に２つの収容室に限定されるものではない。混ぜ合わせる物や順番によって適宜収容室の配置や数が定まる。図６は本発明の混合袋の別形態の例であり、第１の収容室１３の横に第３の収容室１８を設けたもので各収容室の間にはイージーピール部１０００が設けられている。図７は本発明の混合袋の別形態の例であり、第２の収容室１４と直列に第３の収容室１８と第４の収容室１９を設けたもので各収容室の間にはイージーピール部１０００が設けられている。
【符号の説明】
【００２８】
１        混合袋
１１      カバーフィルム
１２      ベースフィルム
１３      第1の収容室
１４      第2の収容室
１５      第1の収容室の内容物
１６      第２の収容室の内容物
１７      第1の収容室の内容物と第２の収容室の内容物の混合物
１８      第３の収容室
１９      第４の収容室
１００    シール部
１０００  イージーピール部
２        混合装置
２１      加圧手段
２２      加圧手段
２３      加圧手段
【図１】
2020132199.tif 000004
【図２】
2020132199.tif 000005
【図３】
2020132199.tif 000006
【図４】
2020132199.tif 000007
【図５】
2020132199.tif 000008
【図６】
2020132199.tif 000009
【図７】
2020132199.tif 000010